(57)【要約】【課題】挿入された挿入子が筒部の内面から離れる方向に移動することを防止できる雌端子及びコネクタを提供する。【解決手段】コネクタの雌端子３は電気接触部８と突起２５を備えている。電気接触部８は相手方の雄端子４の挿入子５が挿入方向Ｋに沿って侵入する筒状の筒部１１と挿入子５と電気的に接続するばね片１２とを備えている。ばね片１２は一端部２１が筒部１１に連なり他端部２３が自由端である。ばね片１２の他端部２３は挿入子５を筒部１１の内面１３ａに向かって付勢して該内面１３ａとの間に挟む。突起２５は筒部１１の内面から内側に向かって突出している。突起２５は筒部１１内に挿入された挿入子５が挿入方向Ｋに直交する方向に沿って内面１３ａから離れると該挿入子５が当接する。突起２５は挿入子５が内面１３ａから離れる方向に移動することを規制する。【選択図】図５
2007149504.tif 000002
【特許請求の範囲】
【請求項１】
電線が電気的に接続される電線接続部と、相手方の雄端子の挿入子が挿入される筒状の電気接触部と、を備え、該電気接触部は、該挿入子が侵入する筒部と、該筒部の一つの内面に向かって該挿入子を付勢して該一つの内面との間に前記挿入子を挟み込む弾性片と、を備えた雌端子において、
前記挿入子が前記一つの内面から離れる方向に移動することを規制する規制手段を備えたことを特徴とする雌端子。
【請求項２】
前記規制手段は、前記筒部の他の内面から内側に向かって突出するように形成されて、前記挿入子が前記一つの内面から離れる方向に移動した際に、前記挿入子と前記弾性片とのうち一方と当接する突起であることを特徴とする請求項１記載の雌端子。
【請求項３】
前記一つの内面には、前記挿入子の長手方向に沿って平坦に形成されて、前記弾性片との間に前記挿入子を挟む接触突出部が形成されており、
前記突起は、前記接触突出部の前記挿入子の長手方向の中央より一方の端部寄りに配置されていることを特徴とする請求項２記載の雌端子。
【請求項４】
前記一つの内面には、前記挿入子の長手方向に沿って平坦に形成されて、前記弾性片との間に前記挿入子を挟む接触突出部が形成されており、
前記突起は、前記挿入子の長手方向に沿って、前記接触突出部と間隔をあけた位置に配置されていることを特徴とする請求項２記載の雌端子。
【請求項５】
請求項１ないし請求項４のうちいずれか一項に記載の雌端子を備えたことを特徴とするコネクタ。
【発明の詳細な説明】
【技術分野】
【０００１】
本発明は、雌端子及びコネクタに係り、例えば帯状の挿入子を挟持することにより導通を行う雌端子及びかかる雌端子を有するコネクタに関する。
【背景技術】
【０００２】
自動車には、該自動車に搭載される多種多様な電子機器に信号や電力を供給するために、ワイヤハーネスが配索されている。ワイヤハーネスは、複数の電線と、該電線の端末に取り付けられるコネクタとを備えている。コネクタは、絶縁性の合成樹脂で構成された筒状のコネクタハウジングと、該コネクタハウジング内に収容される雌端子５０（図１２に示す）とを備えている。
【０００３】
図１２に例示された雌端子５０は、電気接触部５１と、電気接触部５１に連なりかつ電線（図示しない）が取り付けられる電線接続部５２と、を備えている。電気接触部５１は、筒状の筒部５３と、筒部５３内に収容されるように曲げられ、かつ弾性変形自在な弾性接触片５４と、を備えている。筒部５３即ち電気接触部５１には、相手方の雄端子５５の帯状の雄タブ５６が侵入する。
【０００４】
雄端子５５は、帯板状の挿入子としての雄タブ５６と、前記雄タブ５６に連なりかつ電線が取り付けられる電線接続部（図示しない）と、を備えている。
【０００５】
筒部５３に雄タブ５６が侵入すると、雄タブ５６が、弾性接触片５４に当接する。すると、弾性接触片５４は、雄タブ５６を筒部５３の内面に向かって付勢するとともに、該内面との間に前述した雄タブ５６を挟み込む。こうして、筒部５３の内面と弾性接触片５４との間に雄タブ５６を挟んで、雌端子５０と雄端子５５とが電気的に接続される。さらに、このとき、弾性接触片５４は、その頂部５７に雄タブ５６が接触している。
【特許文献１】特開２００１−２１０４１８号公報
【発明の開示】
【発明が解決しようとする課題】
【０００６】
前述した構成の雌端子５０は、特に、自動車のエンジンの近傍に配置されると、該エンジンなどの振動によって、前記雄タブ５６に対して相対的に移動しようとすることがある。このとき、前記雄タブ５６が前述した筒部５３の内面から離れる方向に移動したり、一旦離れた後、再度筒部５３の内面に近づく方向に移動することがある。すると、弾性接触片５４が塑性変形して該弾性接触片５４の雄タブ５６を付勢する力が弱くなったり、弾性接触片５４の頂部５７と雄タブ５６との接点同士が摺れて、該接点におけるメッキ層が削れて酸化膜が発生する。
【０００７】
前述した弾性接触片５４の雄タブ５６を付勢する力が弱くなったり、弾性接触片５４の頂部５７と雄タブ５６との接点におけるメッキ層が削れて酸化膜が発生すると、前記端子５０，５５間の電気的な抵抗値を上昇させてしまい望ましくない。
【０００８】
したがって、本発明の目的は、相手方の雄端子との電気的な抵抗値が上昇することを防止できる雌端子及びコネクタを提供することにある。
【課題を解決するための手段】
【０００９】
前記課題を解決し目的を達成するために、請求項１に記載の本発明の雌端子は、電線が電気的に接続される電線接続部と、相手方の雄端子の挿入子が挿入される筒状の電気接触部と、を備え、該電気接触部は、該挿入子が侵入する筒部と、該筒部の一つの内面に向かって該挿入子を付勢して該一つの内面との間に前記挿入子を挟み込む弾性片と、を備えた雌端子において、前記挿入子が前記一つの内面から離れる方向に移動することを規制する規制手段を備えたことを特徴としている。
【００１０】
請求項２に記載の本発明の雌端子は、請求項１に記載の雌端子において、前記規制手段は、前記筒部の他の内面から内側に向かって突出するように形成されて、前記挿入子が前記一つの内面から離れる方向に移動した際に、前記挿入子と前記弾性片とのうち一方と当接する突起であることを特徴としている。
【００１１】
請求項３に記載の本発明の雌端子は、請求項２に記載の雌端子において、前記一つの内面には、前記挿入子の長手方向に沿って平坦に形成されて、前記弾性片との間に前記挿入子を挟む接触突出部が形成されており、前記突起は、前記接触突出部の前記挿入子の長手方向の中央より一方の端部寄りに配置されていることを特徴としている。
【００１２】
請求項４に記載の本発明の雌端子は、請求項２に記載の雌端子において、前記一つの内面には、前記挿入子の長手方向に沿って平坦に形成されて、前記弾性片との間に前記挿入子を挟む接触突出部が形成されており、前記突起は、前記挿入子の長手方向に沿って、前記接触突出部と間隔をあけた位置に配置されていることを特徴としている。
【００１３】
請求項５に記載の本発明のコネクタは、請求項１ないし請求項４のうちいずれか一項に記載の雌端子を備えたことを特徴としている。
【００１４】
請求項１に記載した本発明の雌端子によれば、筒部内に挿入された挿入子が該筒部の弾性片によって押さえ付けられる一つの内面から離れることが、規制手段によって規制される。このため、挿入子は、筒部の一つの内面から一定以上離間することが規制される。
【００１５】
請求項２に記載した本発明の雌端子によれば、規制手段が筒部の他の内面から該筒部の内側に突出した突起であるので、挿入子が該筒部の一つの内面から離れることを該規制手段が確実に規制できる。
【００１６】
請求項３に記載した本発明の雌端子によれば、突起が接触突出部の一方の端部寄りに配置されているので、該接触突出部の他方の端部と突起との距離を確保でき、挿入子が前述した他方の端部と突起との間に位置付けられる。
【００１７】
請求項４に記載した本発明の雌端子によれば、突起が接触突出部と間隔をあけた位置に配置されているので、該接触突出部の突起から離れた側の端部と該突起との距離を確保でき、挿入子が前述した端部と突起との間に位置付けられる。
【００１８】
請求項５に記載した本発明のコネクタによれば、請求項１ないし請求項４のうちいずれかに記載の雌端子を備えているので、筒部内に挿入された挿入子が該筒部の弾性片によって押さえ付けられる一つの内面から離れることが、規制手段によって規制される。このため、挿入子は、筒部の一つの内面から一定以上離間することが規制される。
【発明の効果】
【００１９】
以上説明したように、請求項１に記載の本発明は、挿入子が筒部の一つの内面から一定以上離間することを規制手段が規制できるので、挿入子が筒部内で移動することを防止できる。このため、弾性片が塑性変形することを防止できるとともに、挿入子と弾性片とが擦れることを防止できる。したがって、相手方の雄端子の挿入子との間の電気的な抵抗値が上昇することを防止できる。
【００２０】
請求項２に記載の本発明は、挿入子が該筒部の一つの内面から離れることを該規制手段が確実に規制できるので、相手方の雄端子の挿入子との間の電気的な抵抗値が上昇することを確実に防止できる。
【００２１】
請求項３に記載の本発明は、挿入子が接触突出部の他方の端部と突起との間に位置付けられるので、挿入子が筒部内で移動することをより確実に防止できる。したがって、相手方の雄端子の挿入子との間の電気的な抵抗値が上昇することをより確実に防止できる。
【００２２】
請求項４に記載の本発明は、挿入子が接触突出部の端部と突起との間に位置付けられるので、挿入子が筒部内で移動することをより確実に防止できる。したがって、相手方の雄端子の挿入子との間の電気的な抵抗値が上昇することをより確実に防止できる。
【００２３】
請求項５に記載の本発明は、請求項１ないし請求項４のうちいずれかに記載の雌端子を備えているので、雄端子と雌端子との電気的な抵抗値が上昇することを防止できる。
【発明を実施するための最良の形態】
【００２４】
以下、本発明の第１の実施形態にかかるコネクタ及び雌端子を図１乃至図５を参照して説明する。コネクタ１は、図２に示すように、コネクタハウジング２と、雌端子３と、を備えている。コネクタハウジング２は、絶縁性の合成樹脂で構成され、箱状に形成されている。コネクタハウジング２は、雌端子３を収容する端子収容室を複数備えている。コネクタハウジング２即ちコネクタ１は、図１に示すように、相手方のコネクタ３０のコネクタハウジング３１と嵌合する。
【００２５】
雌端子３は、コネクタハウジング２内に収容されて、相手方のコネクタ３０のコネクタハウジング３１内に収容された相手方の雄端子４の挿入子５と、電線６とを、相互に電気的に接続する。この雌端子３の詳細な構成は、後ほど説明する。なお、前記相手方の雄端子４として、ブスバーなどの挿入子やリレー及びヒューズなどの電気部品の接続端子や所謂雄型の端子金具などがある。
【００２６】
相手方のコネクタ３０は、図１に示すように、相手方のコネクタハウジング３１と、前述した相手方の雄端子４とを備えている。相手方のコネクタハウジング３１は、雄端子４を収容して、前述したコネクタハウジング２と嵌合する。前記相手方の雄端子４は、図１に示すように、雌端子３の後述する電気接触部８内に侵入可能な挿入子５を備えている。挿入子５は、ブレード状に形成されている。相手方の雄端子４は、挿入子５を含めて導電性を有する金属などから構成されている。
【００２７】
雌端子３は、導電性の板金を打ち抜いて折り曲げられることで得られる。雌端子３は、図２及び図３に示すように、電線６が電気的に接続される電線接続部７と、前記相手方の雄端子４の挿入子５が電気的に接続される電気接触部８と、規制手段としての突起２５と、を備えている。
【００２８】
電線接続部７は、底壁９ａと、この底壁９ａの幅方向の縁に連なる複数のかしめ片１０と、を備えている。底壁９ａは、平板状に形成されている。底壁９ａは、平面形状が矩形状に形成されている。底壁９ａは、その上に芯線が露出した状態の電線６の端部が載置される。かしめ片１０は、底壁９ａの幅方向の両縁それぞれに連なっている。
【００２９】
電線接続部７は、図３に示すような底壁９ａ上に芯線が露出した状態の電線６の端部を載置した後、この電線６の端部を底壁９ａに向かって押しつける方向にかしめ片１０を曲げて、即ちかしめ片１０で電線６をかしめて、図２に示すように、電線６と電気的に接続される。
【００３０】
電気接触部８は、図３に示すように、前述した電線接続部７と連なり、挿入子５が侵入する筒状の筒部１１と、挿入子５と電気的に接続する弾性片としてのばね片１２と、を備えている。筒部１１は、平坦な底壁９ｂと、この底壁９ｂに間隔を存して相対する天井壁１３と、前記底壁９ｂと天井壁１３とを互いに連ねる一対の側壁１４と、を備えている。電気接触部８は、各壁９ｂ，１３，１４を備えた中空角柱状に形成されている。なお、底壁９ｂは、底壁９ａと連続して連なっている。即ち、底壁９ａ，９ｂは、一体の板である。
【００３１】
底壁９ｂは、その平面形状が矩形状に形成されている。底壁９ｂの幅は、前記電線接続部７の底壁９ａの幅と略等しく形成されている。
【００３２】
天井壁１３は、接触突出部１５を備えている。天井壁１３は、その平面形状が底壁９ｂと略等しく形成されている。天井壁１３は、平面形状が矩形状に形成されている。天井壁１３は、底壁９ｂと平行に配されている。接触突出部１５は、天井壁１３の内面１３ａの中央に設けられており、該天井壁１３の他の部分（外縁部）より底壁９ｂに向かって突出し、かつ天井壁１３並びに底壁９ｂと平行になるように直線状に形成されている。また、接触突出部１５は、筒部１１内に挿入される挿入子５の長手方向に沿って、平坦に形成されている。この接触突出部１５を含んだ天井壁１３の内面１３ａは、特許請求の範囲に記載された一つの内面をなしている。
【００３３】
それぞれの側壁１４は、前記底壁９ｂの幅方向の両縁と、天井壁１３の幅方向の両縁と、に連なっている。側壁１４は、互いに間隔をあけて平行に配されている。側壁１４の内面１４ａは、特許請求の範囲に記載された他の内面をなしている。
【００３４】
このように筒状に形成された筒部１１は、その内側に、挿入子５を挿入する。即ち、筒部１１は、挿入子５を底壁９ｂと接触突出部１５（即ち、筒部１１の一つの内面）との間でかつ一対の側壁１４の相互間に位置させる。筒部１１は、その内側に、挿入子５を前記底壁９ｂ及び天井壁１３の長手方向に沿って出し入れされる。なお、本明細書では、筒部１１内に挿入子５が挿入される方向を、挿入方向（以下、矢印Ｋで示す）とする。
【００３５】
ばね片１２は、図３及び図４に示すように、帯板状に形成されており、一端部２１が底壁９ｂの雄端子４寄りの先端に連なり、一端部２１から離れた他端部２３は、自由端となっている。ばね片１２は、他端部２３が筒部１１内に位置するように、該筒部１１内で曲げられている。
【００３６】
また、ばね片１２は、一端部２１が筒部１１の前述した矢印Ｋの手前側即ち挿入子５寄りに配されている。ばね片１２は、他端部２３が一端部２１より前述した矢印Ｋの奥側即ち挿入子５から離れた側に配されている。さらに、ばね片１２には、導入部１９と、頂部２０とが、一体に形成されている。
【００３７】
導入部１９は、図４に示すように、平面形状が台形状に形成されている。導入部１９は、ばね片１２の一端部２１に設けられており、一端部２１より他端部２３に近づくにつれて徐々に天井壁１３に近づく方向に傾斜している。即ち、矢印Ｋに沿って向かうにしたがって、徐々に天井壁１３に近づく方向に傾斜している。そのため、導入部１９は、図５に示すように、挿入子５をばね片１２と筒部１１の接触突出部１５との間に誘導する。
【００３８】
頂部２０は、ばね片１２の導入部１９と他端部２３との間でかつ前述した他端部２３（寄り）に設けられている。頂部２０は、ばね片１２が天井壁１３に近付けられるように湾曲されて、形成されている。頂部２０は、ばね片１２の他端部２３のうち最も天井壁１３に近い位置である。頂部２０は、その表面上に筒部１１内に侵入した挿入子５を載置する。
【００３９】
前述したばね片１２は、頂部２０が底壁９ｂに近づく方向に変位するように、弾性変形自在になっている。そのため、ばね片１２の頂部２０即ち他端部２３は、接触突出部１５との間に位置付けられた挿入子５を接触突出部１５に向かって付勢する（支持する）。つまり、ばね片１２の頂部２０即ち他端部２３は、挿入子５を筒部１１の内面１３ａに向かって付勢することで、該挿入子５を筒部１１の内面１３ａ即ち接触突出部１５との間に挟んで支持する。
【００４０】
突起２５は、一対設けられている。一対の突起２５は、それぞれ、側壁１４に設けられている。突起２５は、それそれ、平面形状が矩形状に形成されている。
【００４１】
突起２５は、一対の側壁１４それぞれの中央部を切り欠いて形成されており、該側壁１４それぞれから筒部１１の内側に向かって立設している。即ち、突起２５は、側壁１４の内面１４ａから筒部１１の内側に向かって突出している。突起２５は、ばね片１２の他端部２３と間隔をあけるとともに、該ばね片１２の他端部２３の底壁９ｂ側と相対する位置に配されている。
【００４２】
また、突起２５は、前述した天井壁１３と間隔をあけているとともに、該天井壁１３との間に筒部１１内に挿入された挿入子５を位置付け、又、接触突出部１５の筒部１１内に挿入される挿入子５の長手方向の中央より、雄端子４から離れた側の一方の端部１５ａ寄りに配置されている。
【００４３】
前述した構成の突起２５には、筒部１１内に挿入された挿入子５が矢印Ｋに交差した方向に沿って、前述した接触突出部１５即ち天井壁１３の内面１３ａから離れる方向に移動すると、該挿入子５が当接する。このため、突起２５は、挿入子５が当接することで、挿入子５が筒部１１の一つの内面としての天井壁１３の内面１３ａから一定以上離間することを規制する。このように、突起２５は、挿入子５が天井壁１３の内面１３ａから離れる方向に移動することを規制する。
【００４４】
前述した雌端子３の電線接続部７に電線６を取付けた後、前記雌端子３をコネクタハウジング２の端子収容室内に挿入して、コネクタ１を組み立てる。また、雄端子４に電線を取付けた後、前記雄端子４を相手方のコネクタハウジング３１の端子収容室内に挿入して、相手方のコネクタ３０を組み立てる。そして、コネクタ１と相手方のコネクタ３０とを嵌合して、雄端子４の挿入子５を雌端子３の筒部１１内に挿入する。
【００４５】
次に、挿入子５を雌端子３に挿入して導通を図る工程について説明する。コネクタ１と相手方のコネクタ３０とを嵌合する際には、矢印Ｋに沿って、挿入子５と筒部１１とを互いに近づける。すると、挿入子５が導入部１９と接触突出部１５の挿入子５側の傾斜面に当接する。そして、挿入子５が矢印Ｋに沿って移動するのにしたがって、該挿入子５が導入部１９と傾斜面とで案内されて、ばね片１２の頂部２０と接触突出部１５との間に導かれる。
【００４６】
そして、挿入子５が矢印Ｋに沿って移動するのにしたがって、該挿入子５が該ばね片１２の弾性復元力に抗して、頂部２０と接触突出部１５との間を広げるようにばね片１２を弾性変形させる。そして、挿入子５が、ばね片１２によって天井壁１３の内面１３ａに設けられた接触突出部１５に向かって付勢されるとともに、該ばね片１２の頂部２０と接触突出部１５との間に挟まれる。さらに、矢印Ｋに沿って挿入子５を筒部１１の奥に侵入させると、図５に示すように、ばね片１２の他端部２３が、突起２５と相対するとともに、挿入子５が、ばね片１２の頂部２０と接触突出部１５との間に位置付けられる。そして、前述したコネクタ１と相手方のコネクタ３０との嵌合が完了する。
【００４７】
また、挿入子５が筒部１１内で天井壁１３から離れる方向に移動しようとすると、挿入子５は、突起２５に当接する。そして、挿入子５は、天井壁１３の接触突出部１５から離れる方向に移動することが、突起２５によって規制される。
【００４８】
本実施形態によれば、筒部１１内に挿入された挿入子５が該筒部１１のばね片１２によって押さえ付けられる天井壁１３の内面１３ａから離れることが、規制手段としての突起２５によって規制される。このため、挿入子５は、筒部１１の一つの内面１３ａから一定以上離間することが規制される。このため、挿入子５が筒部１１内で移動することを防止できるので、ばね片１２が塑性変形することを防止できるとともに、挿入子５とばね片１２とが擦れることを防止できる。したがって、ばね片１２の挿入子５との接点でめっき層が剥がれて、所謂フレッチング腐食が発生して、酸化膜が生じることを防止でき、雌端子３は、相手方の雄端子４の挿入子５との間の電気的な抵抗値が上昇することを防止できる。
【００４９】
規制手段としての突起２５が、筒部１１の側壁１４の内面１４ａから該筒部１１の内側に突出しているので、挿入子５が該筒部１１の天井壁１３の内面１３ａから離れることを該突起２５が確実に規制できる。したがって、相手方の雄端子４の挿入子５との間の電気的な抵抗値が上昇することを確実に防止できる。
【００５０】
突起２５が接触突出部１５の一方の端部１５ａ寄りに配置されているので、該接触突出部１５の他方の端部１５ｂと突起２５との距離を確保でき、挿入子５が前述した他方の端部１５ｂと突起２５との間に位置付けられる。このため、挿入子５が筒部１１内で移動することをより確実に防止できる。したがって、雌端子３は、相手方の雄端子４の挿入子５との間の電気的な抵抗値が上昇することをより確実に防止できる。
【００５１】
また、コネクタ１は、前述した雌端子３を備えているので、相手方のコネクタ３０の雄端子４の電気的な抵抗値が上昇することを防止できる。
【００５２】
次に、本発明の発明者らは、前述した実施形態の雌端子３の効果を確認した。雌端子３内に侵入した挿入子５を、前述した矢印Ｋに対して直交する方向に沿って、前述した天井壁１３から離れる方向に移動させた際のばね片１２からの反発力を求めた。結果を図６に示す。図６中の実線は、前述した実施形態に記載された本発明品の反発力を示し、図６中の一点鎖線は、前述した突起２５が設けられていない比較例の雌端子の反発力を示している。なお、図６中縦軸は、ばね片１２の前述した反発力を示し、図６中横軸は、挿入子５の天井壁１３の接触突出部１５からの変位量を示している。なお、反発力とは、筒部１１内に挿入された挿入子５を矢印Ｋに直交した方向に沿って天井壁１３から遠ざける方向に変位させる際に必要な荷重である。
【００５３】
図６に示されたように、本発明品では、変位量がおよそ０．８ｍｍを超えると、前述した反発力が、比較例より著しく強くなることが明らかとなった。したがって、突起２５が、挿入子５が天井壁１３の内面１３ａに設けられた接触突出部１５から離れることを規制できることが明らかとなった。
【００５４】
次に、本発明の第２の実施形態に係る雌端子を、図７乃至図９を参照して説明する。なお、前述した第１の実施形態と同一構成部分には、同一符号を付して説明を省略する。
【００５５】
本実施形態では、図７ないし図９に示すように、突起２５が、接触突出部１５の長手方向の中央より該接触突出部１５の雄端子４寄りの一方の端部１５ａ寄りに配置されている。
【００５６】
突起２５の構成は、前述した第１の実施形態の突起２５と略同等であり、図７及び図８に示すように、筒部１１内に挿入された挿入子５と間隔をあけるとともに、該挿入子５の底壁９ｂ側と相対する位置に配されている。
【００５７】
前述した構成の突起２５には、挿入された挿入子５が矢印Ｋに交差した方向に沿って、天井壁１３の接触突出部１５から離れる方向に移動すると、該挿入子５が当接する。このため、突起２５は、挿入子５が当接することで、挿入子５が筒部１１の内面１３ａから一定以上離間することを規制する。このため、突起２５は、挿入子５が筒部１１内で移動することを規制する。また、本実施形態の雌端子３も、前述した第１の実施形態と同様に、コネクタハウジング２内に収容されて、コネクタ１を構成する。
【００５８】
本実施形態によれば、前述した第１の実施形態と同様に、筒部１１内に挿入された挿入子５が該筒部１１のばね片１２によって押さえ付けられる天井壁１３の内面１３ａから離れることが、突起２５によって規制される。このため、挿入子５は、筒部１１の一つの内面１３ａから一定以上離間することが規制される。このため、挿入子５が筒部１１内で移動することを防止できるので、ばね片１２が塑性変形することを防止できるとともに、挿入子５とばね片１２とが擦れることを防止できる。したがって、ばね片１２の挿入子５との接点でめっき層が剥がれて、所謂フレッチング腐食が発生して、酸化膜が生じることを防止でき、雌端子３は、相手方の雄端子４の挿入子５との間の電気的な抵抗値が上昇することを防止できる。
【００５９】
次に、本発明の第３の実施形態に係る雌端子を、図１０及び図１１を参照して説明する。なお、前述した第１及び第２の実施形態と同一構成部分には、同一符号を付して説明を省略する。
【００６０】
本実施形態では、図１０及び図１１に示すように、突起２５が、接触突出部１５よりも雄端子４から離れた側に配置されている。突起２５は、筒部１１内に挿入される挿入子５の長手方向に沿って、接触突出部１５と間隔をあけて配置されている。本実施形態の突起２５は、前述した第１及び第２の実施形態と同様に、天井壁１３の接触突出部１５から離れる方向に移動する挿入子５と当接して、該挿入子５が天井壁１３の接触突出部１５から離れる方向に移動することを規制する。
【００６１】
本実施形態によれば、前述した第１及び第２の実施形態と同様に、雌端子３は、相手方の雄端子４の挿入子５との間の電気的な抵抗値が上昇することを防止できる。さらに、突起２５が接触突出部１５と間隔をあけた位置に配置されているので、該接触突出部１５の突起２５から離れた側の端部と該突起２５との距離を確保でき、挿入子５が前述した端部と突起２５との間に位置付けられる。このため、挿入子５が、互いにより離れた前述した端部と突起２５とによって、移動が規制されて移動しにくくなり、筒部１１内で移動することをより確実に防止できる。したがって、相手方の雄端子４の挿入子５との間の電気的な抵抗値が上昇することをより確実に防止できる。
【００６２】
前述した実施形態では、突起２５は、一対の側壁１４それぞれに一つずつ設けられていたが、本発明の突起２５は、それぞれの側壁１４に複数設けられていても良いし、一方の側壁１４に一つだけ設けられていても良い。
【００６３】
また、前述した実施形態では、突起２５が天井壁１３から離れる方向に移動する挿入子５と当接する。しかしながら、本発明では、図示しないが、突起２５が、挿入子５とともに天井壁１３から離れる方向に移動するばね片１２と当接しても良い。要するに、本発明では、突起２５が、挿入子５とばね片１２とのうちの少なくとも一方と当接して、該挿入子５が天井壁１３から離れる方向に移動することを規制すれば良い。
【００６４】
さらに、前述した実施形態の突起２５は、側壁１４を切り欠いて形成されており、該側壁１４から立設していたが、本発明の突起２５は、底壁９ｂから立設しても良いし、天井壁１３から立設していても良い。即ち、本発明の突起２５は、ばね片１２と挿入子５とのうちいずれかと当接して、ばね片１２と挿入子５とが、摺動することを規制できれば、どのように形成されていても良いし、どこから立設していても良い。
【００６５】
さらに、前述した実施形態では、ばね片１２が天井壁１３の接触突出部１５との間に挿入子５を挟んでいる。しかしながら、本発明では、ばね片１２が底壁９ｂとの間に挿入子５を挟んでも良く、ばね片１２が側壁１４との間に挿入子５を挟んでも良い。要するに、本発明では、ばね片１２が筒部１１の一つの内面との間に挿入子５を挟んで、突起２５が筒部１１の他の内面から立設していれば良い。
【００６６】
また、本発明では、突起２５に限らず種々の構成で規制手段を構成しても良いことは勿論である。
【００６７】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６８】
【図１】本発明の第１の実施形態に係るコネクタが相手側のコネクタと嵌合した状態を一部断面で示す側面図である。
【図２】図１に示されたコネクタを示す分解斜視図である。
【図３】図２に示されたコネクタの雌端子を一部断面で示す側面図である。
【図４】図３中のＩＶ−ＩＶ線に沿う断面を示す斜視図である。
【図５】図３に示された雌端子の筒部内に挿入子が侵入した状態を示す説明図である。
【図６】本発明品と比較例の挿入子を移動させた時のばね片の反発力を示す説明図である。
【図７】本発明の第２の実施形態に係る雌端子を示す斜視図である。
【図８】図７中のＶＩＩＩ−ＶＩＩＩ線に沿う断面図である。
【図９】図８に示された雌端子の筒部内に挿入子が侵入した状態を示す説明図である。
【図１０】本発明の第３の実施形態に係る雌端子の断面を示す斜視図である。
【図１１】図１０に示された雌端子の筒部内に挿入子が侵入した状態を示す説明図である。
【図１２】従来の雌端子に挿入子が侵入した状態を示す断面図である。
【符号の説明】
【００６９】
１  コネクタ
３  雌端子
４  相手方の雄端子
５  挿入子
６  電線
７  電線接続部
８  電気接触部
１１  筒部
１２  ばね片（弾性片）
１３ａ  内面（一つの内面）
１４ａ  内面（他の内面）
１５  接触突出部
１５ａ  一方の端部
２５  突起（規制手段）
【図１】
2007149504.tif 000003
【図２】
2007149504.tif 000004
【図３】
2007149504.tif 000005
【図４】
2007149504.tif 000006
【図５】
2007149504.tif 000007
【図６】
2007149504.tif 000008
【図７】
2007149504.tif 000009
【図８】
2007149504.tif 000010
【図９】
2007149504.tif 000011
【図１０】
2007149504.tif 000012
【図１１】
2007149504.tif 000013
【図１２】
2007149504.tif 000014